(57)【要約】【課題】  構成の簡略化が可能であり、しかも液晶パネルにおける表示領域以外の領域での表示を加えることがないことによりコスト上昇も抑えることが可能な構成を備えた表示装置提供する。【解決手段】  複数の液晶パネルを並置して備えている表示装置において、前記複数の液晶パネルは、並置方向中央に位置する液晶パネル２０２が前後方向に往復動可能に設けられ、これに隣接する液晶パネル２０２’が個々にあるいは相互に回動可能に設けられていることを特徴としている。【選択図】  図５
2006180942.tif 000002
【特許請求の範囲】
【請求項１】
複数の液晶パネルを並置して備えている表示装置において、
前記複数の液晶パネルのうちで、並置方向中央に位置する液晶パネルが前後方向に往復動可能に設けられ、これに隣接する液晶パネルが個々にあるいは相互に回動可能に設けられていることを特徴とする表示装置。
【請求項２】
請求項１記載の表示装置において、
前記液晶パネルのうちで並置方向中央に位置する液晶パネルに隣接する液晶パネルは、並置方向に平行する幅方向中央若しくは一方側を回動支点として回動可能に設けられていることを特徴とする表示装置。
【請求項３】
請求項１または２記載の表示装置において、
前記回動可能な液晶パネルは、回動支点に連結されたモータにより直接駆動されて回動位置を設定されることを特徴とする表示装置。
【請求項４】
請求項１乃至３のうちの一つに記載の表示装置において、
前記液晶パネルは、単一で設けられた駆動源からの駆動力が伝達されて回動位置を設定されることを特徴とする表示装置。
【請求項５】
請求項１乃至４のうちの一つに記載の表示装置を用いることを特徴とする遊技機。  
【発明の詳細な説明】
【技術分野】
【０００１】
本発明は、表示装置およびこれを用いた遊技機に関し、さらに詳しくは、液晶パネルを用いた表示構造に関する。
【背景技術】
【０００２】
周知のように、パチンコ遊技においては、遊技機に装備されている遊技盤面の遊技領域に設けられている各種入賞口にパチンコ球が入賞すると、その入賞口に設定されている所定数の賞球が払出されるようになっている。
【０００３】
一方、遊技領域には、複数の図柄や記号を変動表示可能な表示部が設けられており、図柄や記号が一定の組み合わせに揃った場合あるいは一定の条件を満たした場合に遊技盤面に設けてある大入賞口を開放して多くの賞球を払い出すようにした構成がある。
表示内容の抽選は、例えば、始動入賞口とは別に設けてあるパスゲート部と称される部材に設けられた通過センサの位置にパチンコ球が通過するのを検知することによっても開始されるようになっている。
【０００４】
表示部の構成の一つに液晶を用いた構成がある。
液晶パネルは、一枚のパネル内で抽選対象となる複数の数字あるいは図柄の変化状態あるいは遊技に関係する内容の動画などを表示することができるが、２次元表示が主体であるために視覚的な印象が単純であることは否めない。
【０００５】
そこで、表示内容を立体的に視認できるようにした構成が提案されている（例えば、特許文献１）。
上記特許文献１には、レンティキュラレンズを用いて裸眼による立体視ができる構成が開示されている。
一方、表示内容を立体視させるための構成としては、一枚の液晶パネル内で左右各目における視差を生じさせるための画像を生成する構成が提案されている（例えば、特許文献２）。
【０００６】
【特許文献１】特開平７−３１７２９号公報（段落「０００３」欄）
【特許文献２】特開２００４−７３３４０号公報（段落「００７４」欄）
【発明の開示】
【発明が解決しようとする課題】
【０００７】
しかし、特許文献１に開示された構成では、レンティキュラレンズの位置合わせが難しく組み立て作業性が悪いという問題がある。
そこで、特許文献２では、このような問題を解消する構成が提案されているが、右目および左目用の表示画像に奥行きがあるような印象を与える基準部となる補助表示部を右目および左目用の画像表示領域表示領域の外周に設けていることから、液晶表示パネルのサイズが大きくなり、比較的高価な液晶を使用しなければならないという問題がある。
【０００８】
本発明の目的は、上記従来の表示装置における問題に鑑み、構成の簡略化が可能であり、しかも液晶パネルにおける表示領域以外の領域での表示を加えることがないことによりコスト上昇も抑えることが可能な構成を備えた表示装置およびパチンコ遊技機を提供することにある。
【課題を解決するための手段】
【０００９】
請求項１記載の発明は、複数の液晶パネルを並置して備えている表示装置において、前記複数の液晶パネルのうちで、並置方向中央に位置する液晶パネルが前後方向に往復動可能に設けられ、これに隣接する液晶パネルが個々にあるいは相互に回動可能に設けられていることを特徴としている。
【００１０】
請求項２記載の発明は、請求項１記載の表示装置において、前記液晶パネルのうちで並置方向中央に位置する液晶パネルに隣接する液晶パネルは、並置方向に平行する幅方向中央若しくは一方側を回動支点として回動可能に設けられていることを特徴としている。
【００１１】
請求項３記載の発明は、請求項１または２記載の表示装置において、前記回動可能な液晶パネルは、回動支点に連結されたモータにより直接駆動されて回動位置を設定されることを特徴としている。
【００１２】
請求項４記載の発明は、請求項１乃至３のうちの一つに記載の表示装置において、前記液晶パネルは、単一で設けられた駆動源からの駆動力が伝達されて回動位置を設定されることを特徴としている。
【００１３】
請求項５記載の発明は、請求項１乃至４のうちの一つに記載の表示装置をパチンコ遊技機に用いることを特徴としている。
【発明の効果】
【００１４】
請求項１記載の発明によれば、複数の液晶パネルのうちで並置方向中央に位置するものが前後に移動可能であり、そしてこれに隣接するものが回動可能であることから液晶パネルの位置および向きを種々選択することにより液晶パネル自体で奥行き感を得ることができ、特別な表示部やサイズの大型化を招くことなく立体視的な印象を得ることが可能となる。
【００１５】
請求項２記載の発明によれば、並置方向中央に位置する液晶パネルに隣接する液晶パネルは、並置方向と平行する幅方向における回動支点を選択することにより、回動位置を変化させることができるので、奥行き感を異ならせることができ、立体視の印象を効果的なものとすることができる。
【００１６】
請求項３記載の発明によれば、液晶パネルが回動支点に連結されたモータで駆動されることにより液晶毎での回動角を設定することができる。これにより、奥行き深さを左右で異ならせることもできるので立体視の印象を種々変更することが可能となる。
【００１７】
請求項４記載の発明によれば、単一駆動源からの駆動力を複数の液晶パネルの回動力として伝達できるので、奥行き感を醸し出すための構成を簡略化することが可能となる。
【００１８】
請求項５記載の発明によれば、遊技機の表示部に設けられる液晶パネルがこれ自体で奥行きのある印象を与えることができるので、特別な構造の追加やサイズの大型化を招くことなく立体的な表示が可能となる。
【発明を実施するための最良の形態】
【００１９】
以下、図示実施例により本発明を実施するための最良の形態について説明する。
【実施例】
【００２０】
図１は、本実施例による表示装置が適用されるパチンコ遊技機を示す図である。
図１においてパチンコ遊技機１００は、外郭方形枠サイズに形成されて縦長の固定保持枠を構成する外枠１の開口前面に、外枠１に合わせて方形枠サイズに形成された開閉搭載用の前枠２を備えている。
前枠２は、外枠１の正面左側上下に取り付けられたヒンジ金具３Ａ、３Ｂにより外枠１に対して開閉可能に取り付けられ、さらに、外枠１の正面右側に設けられた施錠装置４によって閉鎖状態に保持されるようになっている。
前枠２の上部領域には、遊技盤３が配置されており、遊技盤３は、所定板厚の積層合板の裏側にセルを貼り付けてルーター（役物取り付け孔）加工した化粧板を基板とし、その前面側には図示しないが、環状に取り付けられたガイドレールに囲まれて略円形状の遊技領域６が設けられている。
【００２１】
遊技領域６には、略中央部に本実施例による表示装置が設置される窓部で構成された表示部６ａが設けられている。
表示部６ａの周りにはセンター飾り６ｂや始動入賞口６ｃおよび大入賞口６ｄなどがそれぞれ配置されている。遊技領域下部にはアウト球を回収するアウト口も設けられており、始動入賞口や大入賞口に入賞せずに落下したアウト球を遊技盤３の背面側から機外に排出できるようになっている。
【００２２】
また、前枠２の前面上部側には、遊技盤３を視認できるように透明なガラス盤を備えた前扉７が水平方向に開閉可能かつ着脱可能に設けられ、通常は、施錠装置４により閉鎖状態に保持されて遊技盤３の前面を覆っている。
前枠２の前面下部側で前扉７の下方には、球受け皿を構成している一体皿８が、前枠２に開閉支持されている背面板（図示されず）に取り付けられて設けてあり、一体皿８は、図示しない施錠装置により通常、閉鎖状態に保持されている。
一体皿８には、パチンコ球が存在する皿部だけではなく、皿部の正面右側下部に発射ハンドル９が、そして、正面左側下部に灰皿１０等が設けられている。
【００２３】
図２は、本実施例による表示装置の要部構成を示す図であり、同図において表示装置２００は、遊技盤３に設けてある表示窓で構成された表示部６ａから表面に突出することができる表示枠２０１および表示枠２０１に装着された複数の液晶パネル２０２を主要部として備えている。
表示枠２０１は、遊技盤３の裏面に固定されて支持される部材であり、その表面部２０１Ａにおける下面内側が、図示しないが、パチンコ球を下方に導く傾斜面で構成された誘導路として用いられるようになっている。
表示枠２０１は表面部２０１Ａと裏面部２０１Ｂとを備え、これら各面部で構成されている閉空間内に液晶パネル２０２が装填されている。
【００２４】
本実施例における表示装置２００は、表示部６ａの長手方向に平行して並置された複数の液晶パネル２０２を備えているが、そのうちで、並置方向中央に位置する液晶パネル（便宜上、図２において符号２０２で示す）は前後方向に往復動可能とされ、これに隣接する液晶パネル（便宜上、図２において符号２０２’で示す）が回動可能とされている。
このための構成について説明すると次の通りである。
図３は、並置方向中央に位置する液晶パネル２０２の駆動機構を示す図であり、同図において液晶パネル２０２は、表示枠２０１の下部に設けられた摺動ガイド部２０１Ａによって前後方向に摺動できるようになっている。
摺動ガイド部２０１Ａの下面には、並置方向に平行する液晶パネル２０２の幅方向一方側に嵌合部２０２Ａが、そして幅方向他方側にラック２０２Ｂがそれぞれ設けられている。
嵌合部２０２Ａは、摺動ガイド部２０１Ａに設けてあるレール２０１Ａ１に嵌合することができ、ラック２０２Ｂは摺動ガイド部２０１Ａの内部に設けられている駆動モータ（図示されず）の出力軸に取り付けられているピニオンギヤ２０３に噛み合うようになっている。
【００２５】
駆動モータは液晶パネル２０２の摺動位置制御が可能なステッピングモータが用いられ、ピニオン２０３の回転量を規定することによりこれに噛み合うラック２０２Ｂを介して液晶パネル２０２の摺動位置を設定できるようになっている。
液晶パネル２０２は、図３に示すように、ラック２０２Ｂの長手方向でほぼ中央位置においてピニオンギヤ２０３と噛み合う位置が初期位置として規定されており、この位置を基準として前後方向への移動が行われるようになっている。
【００２６】
一方、並置方向中央に位置する液晶パネル２０２に隣接する液晶パネル（図２において符号２０２’で示す液晶パネル）は、共に同様な構成により相反する方向に回動できるようになっており、その構成が図４に示されている。
図４において液晶パネル２０２’は、上下各面において並置方向に平行する幅方向中央において回動支点を構成する回動支軸２０２Ａ１’がそれぞれ設けられており、そのうちの一方、図４では、下側に位置する回動支軸２０２Ａ１’には従動ギヤ２０４が設けられている。
【００２７】
従動ギヤ２０４には、表示枠２０１の裏面部２０２Ｂに取り付けられている駆動源である駆動モータ２０５の出力軸に取り付けられた駆動ギヤ２０５Ａが噛み合わされて駆動モータ２０５に回動支点が連結された関係とされている。本実施例では、駆動モータ２０５として回動位置を制御可能なステッピングモータが用いられている。
本実施例では、並置方向中央に位置する液晶パネル２０２が前後方向に往復動可能であり、そして隣接する液晶パネル２０２’が回動可能であり、その移動量は図示しない制御部において遊技内容あるいは抽選内容に基づき設定される。
【００２８】
本実施例は以上のような構成であるので、各液晶パネル２０２，２０２’の態位に応じて全ての液晶を一括して視認した場合に立体感を得ることができる。
図５（Ａ）は、並置方向中央に位置する液晶パネル２０２が奥側に移動し、隣接する液晶パネル２０２’がそれぞれ回動した場合を示しており、この場合には、図５（Ｂ）に示すように、並置方向中央に位置する液晶パネル２０２の表示面が奥側に位置することと、隣接する液晶パネル２０２’が水平面内で傾くことで奥行きが出ることにより隣接する液晶パネル２０２’の表示面が深淵性を持ち、さらに最も深淵となる位置に隣接方向中央の液晶パネル２０２が位置していることで奥行き感が増長され、液晶パネルの全てを一括してみた場合に奥行きのある、いわゆる立体感のある表示面を得ることができる。
一方、図５（Ｃ）に示すように、これとは逆に並置方向中央に位置する液晶パネル２０２が初期位置から前側に移動し、隣接する液晶パネル２０２’が回動した場合には並置方向中央に位置する液晶パネル２０２が隣接する液晶パネル２０２’よりも前側に浮き出た状態となる。これにより、図５（Ａ）、（Ｂ）に示した場合とは逆に表示内容が前面に迫るような雰囲気を醸し出すことができる。なお、各液晶パネル２０２，２０２’の移動量は適宜変更可能であるので、深淵度などを適宜設定することが可能である。
【００２９】
上述した構成においては、隣接する液晶パネル２０２’の回動支点の位置を液晶パネル２０２’の幅方向中央としたが、これに換えて隣接する液晶パネル２０２’の幅方向において中央に位置する液晶パネル２０２の幅方向両端部に近接する端部側に設けることもでき、この場合には、回動支点からの半径を大きくとれることで液晶パネルの回動端部が移動する量を多くして奥行き感あるいは前側への張り出し感を増長することができる。
【００３０】
次に本実施例の要部に関する変形例について説明する。
図６には、並置方向中央に位置する液晶パネル２０２に隣接する液晶パネル２０２’同士を単一の駆動源により駆動する場合の構成が液晶パネルの平面視的な模式図として示されている。
この場合には、隣接する液晶パネル２０２’のいずれかを対象としてその液晶パネル２０２’に有する回動支軸に図４に示した駆動モータ２０５が用いられる。
図６において、駆動モータ２０５が連結されている回動支軸２０５Ｂには、駆動ギヤ２０５Ａが設けられており、駆動ギヤ２０５Ａには、これの近傍に設けてあるアイドルギヤ２０６が噛み合わせてある。
アイドルギヤ２０６の回転軸２０６Ａには歯付きベルト用プーリ２０７が取り付けられ、歯付きベルト用プーリ２０７には、他方の回動可能な液晶パネル２０２’の回動支軸２０２Ａ１’に取り付けられた従動側プーリ２０８との間で歯付きベルト２０９が掛け回されている。従動側プーリ２０８と駆動側プーリ２０７とは、アイドルギヤ２０６を介した駆動ギヤ２０５Ａの回転量に基づき液晶パネル２０２’同士において同じ回動量が得られる径寸法を設定されている。
【００３１】
本構成においては、駆動モータ２０５の回転が駆動ギヤ２０５Ａおよびアイドルギヤ２０６を介して歯付きベルト用プーリ２０７に伝えられることにより他方の回動可能な液晶パネル２０２’側に位置する回動支軸２０２Ａ１’に伝えられる。この結果、並置方向中央に位置する液晶パネル２０２に隣接する液晶パネル２０２’同士が同じ移動量を以て相反する方向に回動することができる。
以上説明した構成の他、液晶パネル２０２の移動手段は、ラック２０２Ｂとピニオンギヤ２０３と噛み合による構成に限らず、例えばラック２０２Ｂの配置される方向を軸線方向とするシリンダとピストンとを有する往復動機構としてもよい。この場合には、シリンダ又は、ピストンの一方が液晶パネル側に設けられ、他方が摺動ガイド部２０１Ａ側に固定される。この他、往復動機構としてリニアモータを用いてもよい。液晶パネル２０２及び摺動ガイド部２０１Ａの一方に可動子を、他方に固定子を固定する。
【図面の簡単な説明】
【００３２】
【図１】本発明実施例による表示装置が適用されるパチンコ遊技機の正面図である。
【図２】本発明実施例による表示装置の要部外観を示す斜視図である。
【図３】図２に示した表示装置に用いられる、並置方向中央に位置する液晶パネルの移動機構を示す図である。
【図４】図２に示した表示装置に用いられる液晶パネルのうちで、回動可能な液晶パネルの支持機構を説明するための図である。
【図５】本発明実施例による表示装置を用いた表示状態の一態様を説明するための図であり、（Ａ）は、液晶パネルの平面視的な模式図、（Ｂ）はパチンコ遊技機正面から見た図、（Ｃ）は（Ａ）に示した場合とは逆の状態を示す図である。
【図６】図２に示した表示装置に用いられる回動可能な液晶パネルを対象とした駆動機構の変形例を説明するための液晶パネルの平面視的な模式図である。
【符号の説明】
【００３３】
１００              パチンコ遊技機
６                  表示領域
６ａ                表示部
２００              表示装置
２０１              表示枠
２０１Ａ            表面部
２０１Ｂ            裏面部
２０２，２０２’    液晶パネル
２０４              従動ギヤ
２０５              駆動モータ
２０５Ａ            駆動ギヤ
２０６              アイドルギヤ
２０７，２０８      歯付きベルト用プーリ
２０９              歯付きベルト
【図１】
2006180942.tif 000003
【図２】
2006180942.tif 000004
【図３】
2006180942.tif 000005
【図４】
2006180942.tif 000006
【図５】
2006180942.tif 000007
【図６】
2006180942.tif 000008